【手続補正書】
【提出日】平成30年5月14日(2018.5.14)
【手続補正１】
【補正対象書類名】明細書
【補正対象項目名】００１７
【補正方法】変更
【補正の内容】
【００１７】
またさらに、前記パイロット弁機構は、前記案内筒部の上端に設けられる着座部と、前記着座部を開閉するパイロット弁体と、前記パイロット弁体に連結されるレバーと、を含み、前記フロートは、上端周縁部に径方向に拡径したフランジ部を有し、前記ドレンの液位の上昇に伴い前記フロートが上方へ変位したときに、前記フランジ部が前記レバーを押し上げて、前記着座部が開放されることが好ましい。
【手続補正２】
【補正対象書類名】明細書
【補正対象項目名】００４２
【補正方法】変更
【補正の内容】
【００４２】
短円筒部１３４の周側面には、周方向に沿って複数の係合突部１０８が設けられる。短円筒部１３４は、ドレンハウジング３０の受圧部７２内へ挿入され、短円筒部１３４の係合突部１０８が受圧部７２の係合孔１０４に係合されて、ドレンハウジング３０とフロート保持部材１０６とが連結される。
【手続補正３】
【補正対象書類名】明細書
【補正対象項目名】００４３
【補正方法】変更
【補正の内容】
【００４３】
平板部１３６の上面には、フロート１３２の下端面が当接する凸条１４０が十字状に延在している。案内筒部１３８の上方端部には、パイロット弁機構１４２を構成する着座部１４４と、着座部１４４のオフィリス１４５を開閉するパイロット弁体１４６と、これらを覆うキャップ１４８と、パイロット弁体１４６に連結されるレバー１５０とが設けられる。
【手続補正４】
【補正対象書類名】明細書
【補正対象項目名】００４４
【補正方法】変更
【補正の内容】
【００４４】
フロート１３２は、水等の液体よりも比重の軽い材料、例えば発泡性の合成樹脂等をドレンハウジング３０と略同径の変形略円筒形状に成形したものであり、その中央には軸線方向に沿って貫通孔１５２が設けられている。フロート１３２の上端周縁部は、径方向にテーパー状に拡径したフランジ部１５４が設けられ、このフランジ部１５４を利用して逆円錐状の凹部１５６が設けられている。
【手続補正５】
【補正対象書類名】明細書
【補正対象項目名】００５４
【補正方法】変更
【補正の内容】
【００５４】
図２の状態では、フロート１３２が最下端にあり、レバー１５０は水平を保ち、着座部１４４にパイロット弁体１４６が着座してオリフィス１４５は閉じられている。一方、ドレンハウジング３０のダイヤフラム室１１２には、小連通孔１００を介してケース２４内と同じ圧力が導入されており、ダイヤフラム７０は圧力流体とスプリング１６２の両方から上向きの力を受けている。このため、ドレン弁体１２６はドレン弁座１２４に着座している。
【手続補正６】
【補正対象書類名】明細書
【補正対象項目名】００５７
【補正方法】変更
【補正の内容】
【００５７】
レバー１５０の揺動に伴い、パイロット弁体１４６が着座部１４４を開放する。これにより、着座部１４４のオリフィス１４５を介してケース２４内の圧力流体がパイロット室１１４に流入し、ダイヤフラム７０に対し下向きのパイロット圧が作用する。パイロット圧によるダイヤフラム７０を押し下げる力が、ケース２４内の圧力流体及びスプリング１６２によるダイヤフラム７０を押し上げる力を上回ると、ダイヤフラム７０は下方へ押し下げられる。ダイヤフラム７０に連結されたステム９８が下方に変位して、ドレン弁体１２６がドレン弁座１２４から離間する。これにより、ケース２４の内部のドレンは、ドレンハウジング３０の連通孔８４、ドレン排出孔６６を経て、ドレン流路１２２からケース２４の外部へ排出される（図５参照）。
【手続補正７】
【補正対象書類名】明細書
【補正対象項目名】００５８
【補正方法】変更
【補正の内容】
【００５８】
ドレンの排出に伴いケース２４のドレンの液位が下がると、フロート１３２は、徐々に浮力を失って下方へ変位する。フロート１３２の下方への変位に伴って、フランジ部１５４に当接していたレバー１５０は、図において反時計回りに揺動する。そして、フロート１３２の下面が、フロート保持部材１０６の短円筒部１３４上面の凸条１４０に当接すると、フロート１３２の下方への変位が終了する。このとき、レバー１５０は初期状態の水平位置に戻り、パイロット弁体１４６は着座部１４４のオリフィス１４５を閉じる。
【手続補正８】
【補正対象書類名】明細書
【補正対象項目名】００６８
【補正方法】変更
【補正の内容】
【００６８】
前記パイロット弁機構１４２は、前記案内筒部１３８の上端に設けられる着座部１４４と、前記着座部１４４を開閉するパイロット弁体１４６と、前記パイロット弁体１４６に連結されるレバー１５０と、を含み、前記フロート１３２は、上端周縁部に径方向に拡径したフランジ部１５４を有し、前記ドレンの液位の上昇に伴い前記フロート１３２が上方へ変位したときに、前記フランジ部１５４が前記レバー１５０を押し上げて、前記着座部１４４が開放されることが好ましい。
【手続補正９】
【補正対象書類名】特許請求の範囲
【補正対象項目名】全文
【補正方法】変更
【補正の内容】
【特許請求の範囲】
【請求項１】
底部に開口部を有するケースと、
前記開口部に配設され、ドレン排出孔を有する第１のハウジングと、
前記ドレン排出孔に設けられるドレン弁座と、
前記ドレン弁座を開閉するドレン弁体と、
前記ケース内のドレンの液位により上下動するフロートと、
前記フロートの上下動によりパイロット圧を受圧体に作用させて前記ドレン弁体を駆動するパイロット弁機構と、
を備える自動ドレン排出装置であって、
前記ケースの前記底部は、上方から下方を指向して徐々に内径が狭くなるように形成され、
前記第１のハウジングは、前記ケースの内部と前記ドレン排出孔とを連通する連通孔を有し、
前記連通孔の底面は、前記ドレン排出孔に向かって傾斜する傾斜面を有し、
前記連通孔の前記底面における最も上方且つ外側の縁部は、前記ケースの内周面における最も下方且つ前記開口部寄りの縁部と面一又はより低い位置に設けられる
ことを特徴とする自動ドレン排出装置。
【請求項２】
請求項１記載の自動ドレン排出装置において、
前記ドレン弁体は、前記ドレン弁座を下方から開閉するポペット式であり、
前記受圧体は、ダイヤフラムである
ことを特徴とする自動ドレン排出装置。
【請求項３】
請求項１又は２記載の自動ドレン排出装置において、
前記第１のハウジングの上方に第２のハウジングが設けられ、
前記第１のハウジングは、前記ドレン弁体と前記ドレン弁座と前記受圧体を収容し、
前記第２のハウジングは、前記第１のハウジングの上部に嵌合する台座と、前記台座の上面中央に設けられ前記フロートが挿通される案内筒部と、を含み、
前記フロートは、前記第２のハウジングの前記台座よりも上方に配置される
ことを特徴とする自動ドレン排出装置。
【請求項４】
請求項３記載の自動ドレン排出装置において、
前記パイロット弁機構は、前記案内筒部の上端に設けられる着座部と、前記着座部を開閉するパイロット弁体と、前記パイロット弁体に連結されるレバーと、を含み、
前記フロートは、上端周縁部に径方向に拡径したフランジ部を有し、
前記ドレンの液位の上昇に伴い前記フロートが上方へ変位したときに、前記フランジ部が前記レバーを押し上げて、前記着座部が開放される
ことを特徴とする自動ドレン排出装置。
【手続補正１０】
【補正対象書類名】図面
【補正対象項目名】図２
【補正方法】変更
【補正の内容】
【図２】
2018025223.tif 000001
【手続補正１１】
【補正対象書類名】図面
【補正対象項目名】図５
【補正方法】変更
【補正の内容】
【図５】
2018025223.tif 000002